(57)【要約】  【課題】  光ファイバをフェルールの微細孔に挿入して、光ファイバの端面を挿入した側と反対側の微細孔の端面に臨ませるように配置・固定する光コネクタ組立工具において、フェルールから突出した光ファイバの端部をフェルールに押し戻して、光ファイバの端面をフェルールの端面と同一面となるように移動させる機構が複雑で大型になる課題があった。  【解決手段】  光ファイバ心線載置台の一端側で配置されたフェルール収納空間を有するフェルール装着部と、フェルールと共にフェルール収納空間内に配置されフェルールの端面と接触して光ファイバの端面をフェルールの端面と同一面に配置させる光ファイバ端面押当部材と、フェルール装着部に固定されて光ファイバ端面押当部材をフェルールの端面に押し付ける板バネによる押圧部等とで構成されている。これにより、装置が小型に形成できる効果を有する。  【選択図】  図１
2006078628.tif 000002
【特許請求の範囲】
【請求項１】
光ファイバをフェルールの微細孔に挿入して、光ファイバの端面を前記挿入した側と反対側の前記微細孔の端面に臨ませるように配置・固定する光コネクタ組立工具において、一端から他端に渡って前記光ファイバ上に被覆が形成された光ファイバ心線を配置させるための光ファイバ心線ガイドが形成された光ファイバ心線載置台と、前記光ファイバ心線ガイド上に載置された光ファイバ心線を把持・固定するための光ファイバ心線把持部と、前記光ファイバ心線載置台の一端側で所定角度上下に回転可能に配置され且つ前記光ファイバ心線ガイドの延長線上に配置されたフェルールを収納するフェルール収納空間を有するフェルール装着部と、前記フェルールと共にフェルール収納空間内に配置され前記フェルールの端面と接触して光ファイバの端面をフェルールの端面と同一面に配置させる光ファイバ端面押当部材と、前記フェルール装着部に固定されて光ファイバ端面押当部材をフェルールの端面に押し付ける板バネによる押圧部とで構成されたことを特徴とする光コネクタ組立工具。
【請求項２】
フェルール装着部にはフェルールに形成されたガイド孔に挿入される一対のガイドピンがフェルール収納空間に配置されていることを特徴とする請求項１に記載の光コネクタ組立工具。
【請求項３】
押圧部はフェルール装着部に回転可能に取り付けられていることを特徴とする請求項１又は２に記載の光コネクタ組立工具。
【請求項４】
光ファイバ把持部はフェルール装着部が配置された側と反対側の光ファイバ心線載置台の端部に配置されていることを特徴とする請求項１乃至請求項３のいずれか１に記載の光コネクタ組立工具。
【請求項５】
光ファイバ心線把持部とフェルールとの間隔が２０〜４０ｍｍであることを特徴とする請求項４に記載の光コネクタ組立工具。
【請求項６】
光ファイバ心線載置台は光ファイバ心線ガイドの幅を調整可能にするガイド幅調整機構を備えていることを特徴とする請求項１乃至請求項５のいずれか１に記載の光コネクタ組立工具。
【請求項７】
ガイド幅調整機構は、表裏面にそれぞれ光ファイバ心線ガイド幅の異なるガイド溝が形成されたガイド幅調整具の表裏を反転させることにより、幅の異なる光ファイバ心線を光ファイバ心線載置台上に配置するようにしたことを特徴とする請求項６に記載の光コネクタ組立工具。
【請求項８】
フェルール装着部は前記光ファイバ心線載置台に対して着脱可能に配置されていることを特徴とする請求項１乃至請求項７の何れか１に記載の光コネクタ組立工具。
【請求項９】
一端から他端に渡って光ファイバ上に被覆が形成された光ファイバ心線を配置させるための光ファイバ心線ガイドが形成された光ファイバ心線載置と、光ファイバ心線を前記光ファイバ心線ガイド上に把持・固定するための光ファイバ心線把持部と、前記光ファイバ心線載置台の一端側で所定角度上下に回転可能に配置され且つ前記光ファイバ心線ガイドの延長線上に配置されたフェルールを収納するフェルール収納空間を有するフェルール装着部と、前記フェルールと共にフェルール収納空間内に配置され前記フェルールの端面と接触して光ファイバの端面をフェルールの端面と同一面に配置させる光ファイバ端面押当部材と、光ファイバ端面押当部材をフェルールの端面に押し付ける押圧部とで構成された光コネクタ組立工具の前記光ファイバ心線ガイド上に、接続しようとする光ファイバ心線の端部を前記他端側から突出するように前記光ファイバ心線ガイド上に配置して前記光ファイバ心線把持部で光ファイバ心線を前記光ファイバ心線ガイド溝上に固定し、次に、前記他端側から突出した前記光ファイバ心線の端部から被覆部を剥ぎ取って光ファイバを露出させ、次に露出された光ファイバを予め定められた露出位置で切断し、次に光ファイバ心線把持部の光ファイバ心線の固定を解除して光ファイバ心線を光ファイバ心線ガイド溝から取り出し、次に端部の被覆部が剥ぎ取られた光ファイバが前記一端側を向くように再び光ファイバ心線ガイド上に配置し、次に前記フェルール収納空間に予め配置されたフェルールの微細孔に前記被覆部が剥ぎ取られた光ファイバを挿通して端部から突出するように光ファイバ心線を光ファイバ心線ガイド溝上で移動させて光ファイバ心線を光ファイバ心線把持部で固定し、次に前記光ファイバ端面押当部材を前記フェルール収納空間内の前記被覆部が剥ぎ取られた光ファイバと対向するように配置し、次に前記押圧部を動作させて前記光ファイバ端面押当部材を前記フェルール側に押し付けて光ファイバの端面が前記フェルールの微細孔の端面とほぼ同一面となるように光ファイバを移動させ、光ファイバを撓ませた状態でフェルールと光ファイバとを接着剤で固定することを特徴とする光コネクタ組立方法。
【請求項１０】
フェルール収納空間に予め配置されたフェルールの微細孔に被覆部が剥ぎ取られた光ファイバを挿通して端部から突出するように光ファイバ心線を光ファイバ心線ガイド上で移動させて光ファイバ心線を光ファイバ心線把持部で固定する際に、フェルール装着部を下向きに回転させて置いた状態で光ファイバをフェルール内に差込み、次にフェルール装着部を上向きに回転させた状態で光ファイバをフェルール内に差込むことを特徴とする請求項９に記載の光コネクタ組立方法。
【発明の詳細な説明】
【技術分野】
【０００１】
本発明は、光ファイバをフェルール内に挿通して光ファイバの端面をフェルールの微細孔の端面に臨ませるように配置・固定する光コネクタ組立工具及びそれを用いた光コネクタ組立方法に関するものである。
【背景技術】
【０００２】
通信の多様化、大容量化に伴い、ＦＴＴＨ（Fiber To The Home）に代表される光ファイバを使用した通信が急激に普及しつつある。
これに伴って、光ファイバの現場接続工事が多数実施されることから、無電源、無研磨で光コネクタを組み立てることが要求されている。
【０００３】
従来、これらの現場組立に適した光コネクタ組立工具として様々なものが提案されている。（例えば特許文献１〜４）
【０００４】
図１３は特許文献１に開示された光コネクタ組立工具１を示すものである。図１３において、２は一端に微細孔３が形成され、他端に前記微細孔３に連通した導入孔４が形成されたフェルール、５は光ファイバ６の外周に被覆材が形成された光ファイバ心線、７は光ファイバ心線５を載置するための光ファイバ心線載置台、８は光ファイバ心線５を光ファイバ心線載置台７上に把持・固定するための光ファイバ心線把持部、９はフェルール２の前記一端（接続端）と接触してフェルール２を光ファイバ心線載置台７の方向に押付圧を加える光ファイバ端面押当部材、１０は光ファイバ端面押当部材９に前記押付圧を与えるための押圧機構である。押圧機構１０は操作つまみ１１、偏心カム１２、駆動板１３、引っ張りバネ１４、スライド軸１５等で構成されている。
【０００５】
本光コネクタ組立工具１は、以下の操作により、光ファイバ６の端面にフェルール２を取付けることができる。即ち、駆動板１３及びスライド軸１５が、予め操作つまみ１１の回転操作により偏心カム１２を回転させることによって、図示の破線の位置、即ち光ファイバ心線載置台７から遠ざかる方向に引っ張りバネ１４の付勢力に抗して移動させ、スライド軸１５の端部に配置された光ファイバ端面押当部材９を光ファイバ心線載置台７から遠ざかる方向に移動させて置く。次に、光ファイバ心線５の端部の被覆材を除去して光ファイバ６を露出させ、この光ファイバ６をフェルール２の導入孔４側から微細孔３に挿入して、その光ファイバ６の端部をフェルール２の接続端から突出させた状態にする。このようにした光ファイバ心線５を光ファイバ心線載置台７に載置し、光ファイバ心線載置台７で固定する。
【０００６】
次に操作つまみ１１を先の回転と逆方向に回転させることによって偏心カム１２が回転し、駆動板１３及びスライド軸１５は引っ張りバネ１４の付勢力（復元力）により図示の破線位置から実線の位置に移動する。これにより、光ファイバ端面押当部材９は、前記フェルール２から突出した光ファイバ６の端部をフェルール２に押し戻して、光ファイバ６の端面をフェルール２の端面と同一面となるように移動させる。この状態はフェルール２と光ファイバ心線載置台７との間に配置された光ファイバ６が図示のように光ファイバ心線載置台７から盛上がることにより確認することができる。
【０００７】
次に上記を保持した状態でフェルール２と光ファイバ６とを図示しない接着材で固定する。以上の操作により、光ファイバ６をフェルール２の微細孔３に挿入して、光ファイバ６の端面を前記挿入した側と反対側の前記微細孔３の端面に臨ませて配置・固定させることができる。
【０００８】
特許文献２に記載された光コネクタ組立工具は、図１３に示す構造の光ファイバ端面押当部材９を固定した状態で、光ファイバ心線載置台７側を移動させるようにしたものである。即ち、光ファイバ心線載置台７に連動した図示しない光ファイバ心線載置台駆動つまみを回転させることにより、光ファイバ心線載置台７を光ファイバ端面押当部材９側に移動させ、フェルール２から突出した光ファイバ６の端部をフェルール２に押し戻して、光ファイバ６の端面をフェルール２の端面と同一面となるように移動させる。その後、フェルール２と光ファイバ６とは上記と同様に図示しない接着材で固定される。
【０００９】
特許文献３に記載された光コネクタ組立工具は、図１３に示す構造の光ファイバ端面押当部材９を図示しないレバー操作により光ファイバ心線載置台７側に移動させることにより、フェルール２から突出した光ファイバ６の端部をフェルール２に押し戻して、光ファイバ６の端面をフェルール２の端面と同一面となるように移動させる。その後フェルール２と光ファイバ６とは上記と同様に図示しない接着材で固定される。
【００１０】
特許文献４に記載された光コネクタ組立工具は、図１３に示す構造の光ファイバ端面押当部材９を保持する図示しない光ファイバ端面押当部材ホルダを、手動によってスライドさせることにより光ファイバ端面押当部材９を光ファイバ心線載置台７側に移動させ、フェルール２から突出した光ファイバ６の端部をフェルール２に押し戻して、光ファイバ６の端面をフェルール２の端面と同一面となるように移動させる。その後、フェルール２と光ファイバ６とは上記と同様に図示しない接着材で固定される。
【００１１】
【特許文献１】特開平２０００−６６０３１号公報
【特許文献２】特開平２０００−２０６３６６号公報
【特許文献３】特開平２００１−１６６１８０号公報
【特許文献４】特開平２００１−２２８３５７号公報
【発明の開示】
【発明が解決しようとする課題】
【００１２】
しかしながら、上記特許文献１に記載された発明は、光ファイバ端面押当部材９を光ファイバ心線載置台７側に移動させ、フェルール２から突出した光ファイバ６の端部をフェルール２に押し戻して、光ファイバ６の端面をフェルール２の端面と同一面となるように移動させる操作を、操作つまみ１１、偏心カム１２、駆動板１３、引っ張りバネ１４、スライド軸１５等からなる押圧機構１０で構成しているため、多数の部品を必要とし、装置が複雑となり、大型になる課題があった。
【００１３】
また、特許文献２に記載された発明は、光ファイバ心線載置台駆動つまみを回転させることにより光ファイバ心線載置台７を光ファイバ端面押当部材９側に移動させる機構であるため、これを構成する機構の部品を多数必要とし、特許文献１の場合と同様に、装置が複雑となり大型になる課題があった。
【００１４】
また、特許文献３に記載された発明は、レバー操作により光ファイバ端面押当部材９を光ファイバ心線載置台７側に移動させる機構であるため、上記と同様に、これを構成する機構の部品を多数必要とし、装置が複雑となり大型になる課題があった。
【００１５】
また、特許文献４に記載された発明は、光ファイバ端面押当部材ホルダを手動によってスライドさせ光ファイバ端面押当部材９を光ファイバ心線載置台７側に移動させる機構であるため、装置は比較的簡単な構成であるが、光ファイバ端面押当部材ホルダの移動を係止する機構が無いため、フェルール２から突出した光ファイバ６の端部をフェルール２に押し戻して光ファイバ６の端面をフェルール２の端面と同一面となる状態を、光ファイバ６がフェルール２内で接着剤により固定される間、維持しなければならない課題があった。
【課題を解決するための手段】
【００１６】
本発明は、かかる点に鑑みなされたもので、光ファイバをフェルールの微細孔に挿入して、光ファイバの端面を前記挿入した側と反対側の前記微細孔の端面に臨ませるように配置・固定する光コネクタ組立工具において、一端から他端に渡って前記光ファイバ上に被覆が形成された光ファイバ心線を配置させるための光ファイバ心線ガイドが形成された光ファイバ心線載置台と、前記光ファイバ心線ガイド上に載置された光ファイバ心線を把持・固定するための光ファイバ心線把持部と、前記光ファイバ心線載置台の一端側で所定角度上下に回転可能に配置され且つ前記光ファイバ心線ガイドの延長線上に配置されたフェルールを収納するフェルール収納空間を有するフェルール装着部と、前記フェルールと共にフェルール収納空間内に配置され前記フェルールの端面と接触して光ファイバの端面をフェルールの端面と同一面に配置させる光ファイバ端面押当部材と、前記フェルール装着部に固定されて光ファイバ端面押当部材をフェルールの端面に押し付ける板バネによる押圧部とで構成されたことを特徴とする光コネクタ組立工具である。
【００１７】
本発明の他の発明は、一端から他端に渡って光ファイバ上に被覆が形成された光ファイバ心線を配置させるための光ファイバ心線ガイドが形成された光ファイバ心線載置と、光ファイバ心線を前記光ファイバ心線ガイド上に把持・固定するための光ファイバ心線把持部と、前記光ファイバ心線載置台の一端側で所定角度上下に回転可能に配置され且つ前記光ファイバ心線ガイドの延長線上に配置されたフェルールを収納するフェルール収納空間を有するフェルール装着部と、前記フェルールと共にフェルール収納空間内に配置され前記フェルールの端面と接触して光ファイバの端面をフェルールの端面と同一面に配置させる光ファイバ端面押当部材と、光ファイバ端面押当部材をフェルールの端面に押し付ける押圧部とで構成された光コネクタ組立工具の前記光ファイバ心線ガイド上に、接続しようとする光ファイバ心線の端部を前記他端側から突出するように前記光ファイバ心線ガイド上に配置して前記光ファイバ心線把持部で光ファイバ心線を前記光ファイバ心線ガイド溝上に固定し、次に、前記他端側から突出した前記光ファイバ心線の端部から被覆部を剥ぎ取って光ファイバを露出させ、次に露出された光ファイバを予め定められた露出位置で切断し、次に光ファイバ心線把持部の光ファイバ心線の固定を解除して光ファイバ心線を光ファイバ心線ガイド溝から取り出し、次に端部の被覆部が剥ぎ取られた光ファイバが前記一端側を向くように再び光ファイバ心線ガイド上に配置し、次に前記フェルール収納空間に予め配置されたフェルールの微細孔に前記被覆部が剥ぎ取られた光ファイバを挿通して端部から突出するように光ファイバ心線を光ファイバ心線ガイド溝上で移動させて光ファイバ心線を光ファイバ心線把持部で固定し、次に前記光ファイバ端面押当部材を前記フェルール収納空間内の前記被覆部が剥ぎ取られた光ファイバと対向するように配置し、次に前記押圧部を動作させて前記光ファイバ端面押当部材を前記フェルール側に押し付けて光ファイバの端面が前記フェルールの微細孔の端面とほぼ同一面となるように光ファイバを移動させ、光ファイバを撓ませた状態でフェルールと光ファイバとを接着剤で固定することを特徴とする光コネクタ組立方法である。
【発明の効果】
【００１８】
本発明の光コネクタ組立工具は、フェルールから突出させた光ファイバの端面をフェルール２の端面と同一面となるように押し戻し、係止させる操作を、フェルール装着部に固定された板バネによる押圧力で光ファイバ端面押当部材を介して行うので、このための構成が簡単で小型に製造できる効果を有する。
また、本発明の光コネクタ組立方法は、光ファイバ心線の端部の被覆材を除去し、光ファイバ心線を一定長露出させて切断させる操作のホルダを上記光コネクタ組立工具により行うので、光ファイバ心線を一定長露出させる被覆ストリッパーや、光ファイバを切断する光ファイバ切断器のホルダが不要となる効果を有する。
【発明を実施するための最良の形態】
【００１９】
フェルール装着部にはフェルールに形成されたガイド孔に挿入される一対のガイドピンがフェルール収納空間に配置されていることを特徴とする。
【００２０】
押圧部はフェルール装着部に回転可能に取り付けられていることを特徴とする。
【００２１】
光ファイバ把持部はフェルール装着部が配置された側と反対側の光ファイバ心線載置台の端部に配置されていることを特徴とする。
【００２２】
光ファイバ心線把持部とフェルールとの間隔が２０〜４０ｍｍであることを特徴とする。
【００２３】
光ファイバ心線載置台は光ファイバ心線ガイドの幅を調整可能にするガイド幅調整機構を備えていることを特徴とする。
【００２４】
ガイド幅調整機構は、表裏面にそれぞれ光ファイバ心線ガイド幅の異なるガイド溝が形成されたガイド幅調整具の表裏を反転させることにより、幅の異なる光ファイバ心線を光ファイバ心線載置台上に配置するようにしたことを特徴とする。
【００２５】
フェルール装着部は前記光ファイバ心線載置台に対して着脱可能に配置されていることを特徴とする。
【００２６】
フェルール収納空間に予め配置されたフェルールの微細孔に被覆部が剥ぎ取られた光ファイバを挿通して端部から突出するように光ファイバ心線を光ファイバ心線ガイド溝上で移動させて光ファイバ心線を光ファイバ心線把持部で固定する際に、フェルール装着部を下向きに回転させて置いた状態で光ファイバをフェルール内に差込み、次にフェルール装着部を上向きに回転させた状態で光ファイバをフェルール内に差込むことを特徴とする。
【実施例１】
【００２７】
以下本発明を図示した実施例により説明する。図１〜図１１において、２０は光ファイバ心線載置台、３０は光ファイバ心線載置台２０の一端２１側に配置されたフェルール装着部、４０は光ファイバ心線載置台２０の他端２２側に配置された光ファイバ心線把持部、５０はフェルール装着部３０に設置された板バネによる押圧部、６０は従来のフェルール２と同様のフェルール（図６〜図１１参照）、７０は従来の光ファイバ心線５と同様の光ファイバ心線、８０は光ファイバ端面押当部材（図１０、図１１参照）である。
【００２８】
光ファイバ心線載置台２０は、長さが４０〜８０ｍｍ、幅が１６ｍｍ、厚さが４〜８ｍｍ程度の板状に形成され、その表面に一端２１から他端２２に渡って光ファイバ心線７０を載置するための溝状の光ファイバ心線ガイド２３が形成されている。
【００２９】
フェルール装着部３０は、その一端３１が光ファイバ心線載置台２０の一端２１に配置された係合ピン２４で軸支され、図８に示すように、上下に所定角度だけ首振りの回転が可能な様に構成されている。更に、フェルール装着部３０は、光ファイバ心線ガイド２３と連通したフェルール収納空間３２が形成され、そのフェルール収納空間３２内で一端３１側から２本のガイドピン３３が他端３４側に向くように配置されている。フェルール装着部３０の他端３４にはフェルール収納空間３２に連通する開孔３５が形成されている。
【００３０】
光ファイバ心線把持部４０は、光ファイバ心線載置台２０の側部でその長手方向に沿って配置された係合ピン２５で軸支され、図１(ロ)に示すように、光ファイバ心線ガイド２３の長手方向の一部を覆ったり開放したりするように回動できるようになっている。更に光ファイバ心線把持部４０は内部にマグネット４１が埋め込まれており、光ファイバ心線載置台２０の表面に配置された図示しない磁性体と吸着し、光ファイバ心線ガイド２３の一部を覆った状態で光ファイバ心線把持部４０が光ファイバ心線載置台２０に吸着・固定できるように構成されている。
【００３１】
板バネによる押圧部５０は、断面がＬ字型に湾曲して形成され、その根元部分５１が２つに分岐してそれぞれがフェルール装着部３０の中央両側面の上部にそれぞれ配置された係合ピン３６に係合し、その係合ピン３６を軸にして、図１(ハ)に示すように回動できるように構成されている。押圧部５０の先端部分５２は３分岐され、その両サイドの分岐片５３が前記Ｌ字型に屈曲して、図１１に示すように、光ファイバ端面押当部材８０の後端を光ファイバ心線載置台２０側に押圧するように構成されている。また、中方の分岐片５４はそのまま湾曲させずに伸ばして操作用のつまみとなるようになっている。
【００３２】
フェルール６０は、図９に示すように、その一端（接続端、以下、この接続端の端面を接続端面という場合がある）に１乃至複数の微細孔６１が形成され、他端（光ファイバ心線挿入端）に前記微細孔６１に連通する光ファイバ心線挿入孔６２が形成され、更に、フェルール６０の中央上部には前記微細孔６１及び光ファイバ心線挿入孔６２に連通する接着剤注入孔６３が形成されている。更に、フェルール６０には、微細孔６１の両サイドに貫通した図示しないガイド孔が形成され、前記ガイドピン３３が貫通してフェルール６０がフェルール収納空間３２内の所定位置に収納されるようになっている。またこのガイド孔は光コネクタを相互に接続する際にガイドピンが挿入され、両フェルール６０の微細孔６１が軸心を一致させてその端面を互いに対向させる役目を果たす。
【００３３】
光ファイバ心線７０は、従来と同様に石英ガラス、透明プラスチックなどで形成された光ファイバ７１の外周に補強用の熱可塑性樹脂や紫外線硬化樹脂（ＵＶ樹脂）などが被覆されるなどして構成されている。一例として１２５μｍφの石英製の光ファイバ７１の上に２５０μｍφとなるようにＵＶ樹脂が被覆され、この被覆光ファイバを４心並列に密着して配列し、その上にテープ状に幅１．１ｍｍ、厚さ０．４ｍｍにＵＶ樹脂を被覆して構成される。
【００３４】
光ファイバ端面押当部材８０は、フェルール６０と同一寸法に構成され、別名ダミフェルールとも呼ばれている。しかしながらフェルール６０に形成された微細孔６１は形成されておらず、その部分の端面が平面となっている。この光ファイバ端面押当部材８０の両サイドにはフェルール６０に形成されたガイド孔と同様のガイド孔が形成され、このガイド孔に前記ガイドピン３３が貫通して光ファイバ端面押当部材８０がフェルール６０の接続端面と対向してフェルール収納空間３２内の所定位置に収納されるようになっている。
【００３５】
以下、係る本発明の光コネクタ組立工具を光コネクタの組立順序に従って更に詳しく説明する。
まず始めに、図２に示すように、光ファイバ心線７０がその一端を光ファイバ心線把持部４０側の光ファイバ心線載置台２０から飛び出させた状態で光ファイバ心線ガイド２３上に載置され、光ファイバ心線把持部４０を閉じることによりにより光ファイバ心線載置台２０上に固定される。この際、光ファイバ心線７０はフェルール装着部３０の上を通過するように配置される。
【００３６】
次に、図３に示す被覆ストリッパーにより、前記光ファイバ心線載置台２０から飛び出した光ファイバ心線７０の被覆層を剥ぎ取る操作を行う。
即ち、図３において、９０は被覆ストリッパーであり、被覆ストリッパー９０は被覆層把持部９０１と光コネクタ組立工具把持部９１０とで構成され、被覆層把持部９０１と光コネクタ組立工具把持部９１０とは、互いに長手方向に伸縮力が作用することにより図３（ロ）に示すスライダ９０８が伸縮し、互いの端面９０１’と９１０’とを対向させた状態で伸縮自在に構成されている。
【００３７】
被覆層把持部９０１は被覆層把持部本体９０２と被覆層抑え蓋９０５とで構成され、これらはヒンジ９０９により互いに開閉自在に構成されている。被覆層把持部本体９０２には被覆層載置台９０３と被覆切断刃９０４等が配置されており、被覆層抑え蓋９０５が閉じたときに光ファイバ心線７０の被覆層に一定深さの傷を与えるようになっている。被覆層載置台９０３には過熱ヒータが埋設されており、動作時には所定温度に過熱されている。被覆層抑え蓋９０５には、滑り防止ゴム９０６が張り付けれられており、被覆層抑え蓋９０５が閉じたときに被覆層載置台９０３上に配置される光ファイバ心線７０の被覆層を抑えこむ働きをする。
【００３８】
光コネクタ組立工具把持部９１０は工具把持本体９１１と工具把持蓋９１５とで構成され、両者はヒンジ９１９によって開閉自在に構成されている。工具把持本体９１１には光コネクタ組立工具を収納する大きさのくぼみ９１２が設けられており、被覆除去時にはこの中に光コネクタ組立工具が嵌め込まれる。工具把持蓋９１５には滑り防止ゴム９１６が配置されており、工具把持蓋９１５が閉じた時に光コネクタ組立工具をくぼみ９１２から抜け出ないようになっている。
【００３９】
以上ににより構成された被覆ストリッパーを用いて、前記光ファイバ心線載置台２０から飛び出した光ファイバ心線７０の被覆層を剥ぎ取るには、図３（イ）の影像に示すように光コネクタ組立工具をセットして被覆層抑え蓋９０５と工具把持蓋９１５とを閉じて、図３(ロ)に示すように被覆層把持部９０１と光コネクタ組立工具把持部９１０とを引き離す。これににより被覆層載置台９０３で加熱軟化された光ファイバ心線７０の被覆層が被覆切断刃９０４の箇所から除去され、光ファイバ７１が露出される。
【００４０】
次に前記により露出された光ファイバ７１を被覆層端部から一定長残して切断する光ファイバ切断が行われる。図４はこの光ファイバ切断器９５０を示すものある。
図６において、光ファイバ切断器９５０は光ファイバ切断器本体９６０、光コネクタ組立工具把持蓋９７０、カッタ部９８０、光ファイバくず収納蓋９９０等で構成されている。
光ファイバ切断器本体９６０は端部に前記光コネクタ組立工具を収納する大きさのの収納部９６１を持っている。
光コネクタ組立工具把持蓋９７０はヒンジ９７１により開閉自在に光ファイバ切断器本体９６０に取り付けられている。また光コネクタ組立工具把持蓋９７０には抑えゴム９７２が配置されており、光コネクタ組立工具把持蓋９７０を閉じたときに、収納部９６１に配置される光コネクタ組立工具を動かないように抑えるようになっている。更に、光コネクタ組立工具把持蓋９７０には、光ファイバ７１に切断力を与える操作子９７３が配置されている。
【００４１】
カッタ部９８０は、図４に示す矢印方向にスライド自在となるように光ファイバ切断器本体９６０に取り付けられている。更に、カッタ部９８０には、前記スライド方向に平行な光ファイバ切断刃９８１が取り付けられており、作動時には光ファイバ７１の表面に傷を付けるようになっている。更にカッタ部９８０には、操作子９７３を所定位置に保持させる保持台９８２が形成されており、切断刃９８１が切断しようとする光ファイバ７１を横断するまで保持台９８２が操作子９７３を保持し、切断刃９８１が光ファイバ７１を横断した後は、予め図示しないスップリングにより下向きに付勢された付勢力により操作子９７３が保持台９８２から外れて下向側に移動し、その下にある光ファイバ７１に曲げ力を与えて光ファイバ７１を切断するようになっている。
【００４２】
上記により構成された光ファイバ切断器９５０を用いて前記により、被覆除去された光ファイバ心線７０を前記光コネクタ組立工具ごと、図４の影像に示すようにセットし、各蓋を閉じて、カッタ部９８０を図示の位置からＰ方向に移動させる。これにより、図５に示すように、光ファイバ７１が一定長Ｌだけ露出した状態で切断される。
【００４３】
次に図６に示すように、フェルール装着部３０の他端３４に形成された開口３５からフェルール６０の光ファイバ心線挿入口６２を光ファイバ心線載置台２０側に向けた状態でフェルール６０をフェルール収納空間３２内に差し込む。この際、フェルール収納空間３２内に配置されたガイドピン３３に、フェルール６０に形成されたガイド孔を嵌め込みながら行う。更に光ファイバ心線把持部４０を開いて図５に示す光ファイバ心線７０を光ファイバ心線載置台２０から取り出す。
【００４４】
次に、図７に示すように、前記により光ファイバ心線載置台２０から取り出された光ファイバ心線７０を、先に露出された光ファイバ７１側をフェルール装着部３０側に向けて光ファイバ心線ガイド２３上に載置する。
【００４５】
次に図８(イ)に示すように、押圧部５０を下向きに回転させ、更にフェルール装着部３０を下向きに回転させ、この状態で光ファイバ心線７０をフェルール６０の光ファイバ心線挿入孔６２に差し込む。
【００４６】
これにより光ファイバ７１は図９（イ）に示すように、光ファイバ７１がフェルール６０内に形成された導入溝６４の上に配置される。
次に図８（ロ）に示すように、フェルール装着部３０を上向きに回転させる。これにより光ファイバ７１は導入溝６４に容易に嵌め込まれる。
【００４７】
この際、フェルール装着部３０を回転させずに、導入溝６４の面を光ファイバ心線ガイド２３の面と同一面とした状態で光ファイバ７１をフェルール６０内に挿入しようとすると、光ファイバ７１の先端が導入溝６４の後部６５に当り光ファイバ７１を導入溝６４に嵌めこむことが困難となるが、上記のようにフェルール装着部３０を上下に首を振らせることにより容易に光ファイバ７１を導入溝６４内に嵌め込むことができる。
【００４８】
次に前記により光ファイバ７１を導入溝６４内に嵌め込んだ後は、光ファイバ心線７０を更にフェルール６０内に差し込む。これにより、光ファイバ７１の先端は導入溝６４に沿って配置された微細孔６１に導かれ、図１０に示すように微細孔６１から所定長突出した状態にセットされる。
【００４９】
次に、図１０に示すように、光ファイバ心線把持部４０を閉じて光ファイバ心線７０を光ファイバ心線載置台２０上に固定した後、光ファイバ端面押当部材８０をフェルール装着部３０の開口３５から光ファイバ端面押当部材８０の突き当て面をフェルール６０に向けて差し込む。この差し込みはフェルール６０の差し込みと同様に、光ファイバ端面押当部材８０の両サイドに形成された光ファイバ心線挿入口を光ファイバ心線載置台２０側に向けた状態でフェルール収納空間３２内に差し込む。この際、フェルール収納空間３２内に配置されたガイドピン３３に、光ファイバ端面押当部材８０に形成されたガイド孔を嵌め込みながら行う
【００５０】
次に図１１に示すように、板バネによる押圧部５０の分岐片５４を下側から水平となる様に持ち上げ回転させる。これによりＬ字型に曲げられた押圧部５０の分岐片５３は光ファイバ端面押当部材８０の後端をフェルール側に押し込み、今までフェルール６０の接続端から突出していた光ファイバ７１の先端がフェルール６０の接続端面と同一面となるまで押し戻される。この際、押圧部５０の分岐片５３は光ファイバ端面押当部材８０の後端をフェルール側に押し込んだ状態を維持しながら、光ファイバ端面押当部材８０の後端と係合した状態になっている。
【００５１】
上記光ファイバ７１の先端がフェルール６０の接続端面と同一面となるまで押し戻された状態は、図１１(ロ)に示すように、光ファイバ心線把持部４０とフェルール６０との間に配置された光ファイバ心線７０が光ファイバ心線載置台２０から離れて盛り上がることにより確認することができる。なお、光ファイバ心線把持部４０とフェルール６０の光ファイバ心線挿入孔６２との間隔が２０ｍｍ未満であると、光ファイバ心線５０の鋼性により光ファイバ心線５０が曲がり難くなり、上記盛り上がりを発生し難くなる。また、その間隔が４０ｍｍを超えると光ファイバ５１が押圧部５０を押す反力が小さくなり、光ファイバ５１の先端をフェルール６０の接続端面と同一面に維持させるのが困難になり、更に光コネクタ組立工具が大型になる。従って、光ファイバ心線把持部４０とフェルール６０の光ファイバ心線挿入孔６２との間隔は２０〜４０ｍｍであることが望ましい。
【００５２】
次に、フェルール６０の上部に形成された接着剤注入孔６３から図示しない瞬間接着などの接着剤を注入して光ファイバ心線７０とフェルール６０とを固着させる。
その後は従来と同様にフェルール６０をコネクタハウジング内に組み込まれ、光コネクタが完成する。
【実施例２】
【００５３】
図１２は本発明の他の光コネクタ組立工具を示すもので、光ファイバ心線ガイド２３を光ファイバ心線載置台２０から取り外しができるようにし、幅の異なる光ファイバ心線７０を組み立てることができるようにしたものである。即ち、光ファイバ心線ガイド２３の表面及び裏面にはそれぞれ種類の異なる光ファイバ心線７０の幅に合った溝２６、２７が形成されている。そして光ファイバ心線ガイド２３には４箇所に位置決め用の貫通孔２８が形成されている。また、光ファイバ心線載置台２０の表面には図１２(ロ)に示すように、前記貫通孔２８に適合する係合ピン２９が突設されている。
【００５４】
これにより、図１２(ハ)、(ニ)に示すように幅の広い溝２６を光ファイバ心線載置台２０の表に形成させたり、図１２(ホ)、(ヘ)に示すように幅が狭い溝２７を光ファイバ心線載置台２０の表に形成させたりでき、幅の異なる２種類の光ファイバ心線７０、例えば４心テープ光ファイバ心線や８心テープ光ファイバ心線を取り扱うことができる。このように構成された光コネクタ組立工具は実施例１と同様に扱うことができる。なお、溝２６、２７は光ファイバ心線ガイド２３の長手方向に連続てきに形成されている必要はなく、間欠的に構成されていても良い。
【図面の簡単な説明】
【００５５】
【図１】本発明の一実施例を示すもので、イは平面図、ロは左側面図、ハは正面図。
【図２】図１に示す一実施例の動作の一例を示す平面図。
【図３】本発明の一実施例で用いられる被覆ストリッパーを示すもので、イはその動作の一例を示す平面図、ロは他のＤ動作の一例を示す平面図。
【図４】本発明の一実施例で用いられる光ファイバ切断器を示す平面図。
【図５】図１に示す一実施例の他の動作例を示す平面図。
【図６】図１に示す一実施例の更に他の動作例を示すもので、イは平面図、ロは左側面図、ハは正面図。
【図７】図１に示す一実施例の更に他の動作例を示すもので、イは平面図、ロは一部切断正面図。
【図８】図１に示す一実施例の更に他の動作例を示すもので、イは一部切断正面図、ロは更に他の動作例の異なる一部切断正面図。
【図９】本発明の一実施例における構成部品を示すもので、イは一部切断正面図、ロはイと異なる動作の一部切断正面図。
【図１０】図１に示す一実施例の更に他の動作例を示すもので、イは一部切断正面図、ロは一部切断正面図。
【図１１】図１に示す一実施例の更に他の動作例を示すもので、イは平面図、ロは正面図。
【図１２】本発明の他の実施例を示すもので、イはその構成部品の一例を示す平面図、ロはその構成部品の分解正面図、ロ、ハはそれぞれ互いに異なる動作例を示す平面図、ニ、ヘはハ、ホに対応する正面図。
【図１３】従来の一例を示す正面図。
【符号の説明】
【００５６】
２０    光ファイバ心線載置台
２１    一端
２２    他端
２３    光ファイバ心線ガイド
２４    係合ピン
２５    係合ピン
３０    フェルール装着部
３１    一端
３２    フェルール収納空間
３３    ガイドピン
３４    他端
３５    開孔
３６    係合ピン
４０    光ファイバ心線把持部
４１    マグネット
５０    押圧部
５１    根元部分
５２    先端部分
５３    分岐片
５４    分岐片
６０    フェルール
６１    微細孔
６２    光ファイバ心線挿入孔
６３    接着剤注入孔
６４    導入溝
６５    後部  
７０    光ファイバ心線
７１    光ファイバ
８０    光ファイバ端面押当部材
【図１】
2006078628.tif 000003
【図２】
2006078628.tif 000004
【図３】
2006078628.tif 000005
【図４】
2006078628.tif 000006
【図５】
2006078628.tif 000007
【図６】
2006078628.tif 000008
【図７】
2006078628.tif 000009
【図８】
2006078628.tif 000010
【図９】
2006078628.tif 000011
【図１０】
2006078628.tif 000012
【図１１】
2006078628.tif 000013
【図１２】
2006078628.tif 000014
【図１３】
2006078628.tif 000015